(57)【特許請求の範囲】
【請求項１】
回転駆動される磁気記録媒体に対し媒体対向面を向けて浮上走行するスライダ本体に磁気情報の記録または再生を行う磁気コアを備えてなる磁気ヘッドスライダであり、前記スライダ本体の媒体対向面にスライダ本体の浮上用のセンタパッド部とサイドパッド部とセンタレール部とサイドレール部が設けられ、前記スライダ本体において前記磁気記録媒体の回転方向上流側がリーディング側、回転方向下流側がトレーリング側とされ、
前記センタパッド部に前記磁気コアが備えられ、該センタパッド部は前記スライダ本体の媒体対向面のトレーリング側の端部中央部に形成され、前記センタパッド部よりリーディング側寄りの幅方向両端部にそれぞれ前記サイドパッド部が形成され、前記両サイドパッド部の媒体と対向する側の面の面積の合計値が前記センタバッド部の媒体と対向する側の面の面積より大きく、前記各サイドパッド部は、少なくともリーディング側に他の部分より高さが低い前方段差面が形成され、前記センタパッド部は、少なくともリーディング側の側面に段差が形成されておらず、
前記磁気コアの中央部に設けられた読取ヘッドのリーディング側の面と、前記一方のサイドパッド部のトレーリング側の面との距離をＬ２  としたときに、５０μｍ≦Ｌ２≦１００μｍなる関係を満足することによって、気圧が低下した場合に、前記サイドパッド部を支点として前記磁気コアが持ち上がった状態で浮上量が下がることを特徴とする磁気ヘッド。
【請求項２】
前記両サイドパッド部のうち少なくとも一方のサイドパッド部の媒体と対向する側の面の面積が前記センタバッド部の媒体と対向する側の面の面積より大きくされていることを特徴とする請求項１記載の磁気ヘッド。
【請求項３】
請求項１又は２に記載の磁気ヘッドと、回転駆動される磁気記録媒体と、前記磁気ヘッドを前記磁気記録媒体の径方向に移動させるための支持機構と、前記磁気記録媒体の外周部側方あるいは内周部側方に設けられた磁気ヘッドの退避部とを備えたことを特徴とする磁気記録装置。
【発明の詳細な説明】
【０００１】
【発明の属する技術分野】
本発明は、磁気ヘッドとこれを備えた磁気記録装置に関する。
【０００２】
【従来の技術】
従来から、パーソナルコンピュータ用などの情報記録機器の一種として磁気記録装置が知られている。
この磁気記録装置は、円盤状の磁気ディスクが複数枚、シャーシ上に回転自在に設けられ、これら磁気ディスクの表面側あるいは裏面側に上記磁気ディスク（磁気記録媒体）に対して相対移動自在に磁気ヘッドが設けられ、これら複数の磁気ヘッドが個々に細長い三角板状のロードビームとアームを介してベースに支持され、このベースがシャーシの上において回転自在に支持されている。このような磁気記録装置では、上記ベースが回動することで磁気ヘッドが磁気ディスクに対してその半径方向に相対移動し、磁気ディスク上の所望の位置の磁気情報を読み出すか、磁気ディスク上の所望の位置に磁気情報を書き込むことができるように構成されている。
【０００３】
図９は、ＣＳＳ（contact start stop）方式の磁気ヘッドの媒体対向面側を上側に向けた状態を示す斜視図であり、図１０はこの磁気ヘッドを媒体対向面側から見た平面図である。
この磁気ヘッド１０２は、非磁性体からなる板状のスライダ本体１１１と、このスライダ本体１１１の一端部側に設けられたコイル部を有する磁気コア１１２を主体として構成されている。
磁気ヘッド１０２のスライダ本体１１１において、上記コイル部が設けられる一端部側と反対側の端部側が磁気記録媒体の回転方向上流側のリーディング側１１３とされ、上記コイル部が設けられる一端部側が磁気記録媒体の回転方向下流側のトレーリング側１１５とされている。
【０００４】
また、スライダ本体１１１のトレーリング側１１５の幅方向中央部には、センタパッド部１２５が形成され、このセンタパッド部１２５に上記の磁気コア１１２が埋め込まれている。このセンタパッド部１２５の両側であって、スライダ本体１１１のトレーリング側１１５の両端部にサイドパッド部１２６が個々に形成されている。従来の磁気ヘッド１０２では、主にセンタパッド部１２５で浮上量をコントロールするため、このセンタパッド部１２５の大きさ（記録媒体側の面積）を各サイドパット部１２６より大きくされている。サイドパッド部１２６、１２６は、センタパッド部１２５の補助的役割を果たしており、ロール方向（スライダ本体の幅方向）のふらつきを防止するために設けられている。
【０００５】
また、センタパッド部１２５は、磁気コア１１２が埋め込まれた第１後方空気軸受面１２５ａと、第１後方空気軸受面１２５ａよりも高さが低く形成された前方段差面１２５ｂを有しており、このような前方段差面１２５ｂを設けることで、磁気記録媒体の回転中、空気流が前方段差面１２５ｂから前壁面１２５ｃを伝って第１後方空気軸受面１２５ａにスムーズに流れて第１後方空気軸受面１２５ａに作用し、第１後方空気軸受面１２５ａに大きな正圧が生じる。
また、各サイドパッド１２６は第２後方空気軸受面１２６ａと、第２後方空気軸受面１２６ａよりも高さが低く形成された前方段差面１２６ｂを有している。
【０００６】
また、スライダ本体１１１のリーディング側１１３の端部にセンタレール部１２１が形成され、さらにこのスライダ本体１１１にはセンタレール部１２１の両端部からトレーリング側１１５に向かって延びるサイドレール部１２２、１２３が形成されている。また、センタレール部１２１は前方空気軸受面１２１ａと、前方空気軸受面１２１ａよりも高さが低く形成された前方段差面１２１ｂと、この前方段差面１２１ｂの両端部からトレーリング側１１５に向かって延びる側方段差面１２１ｃを有している。サイドレール部１２２、１２３の高さはセンタレール部１２１の前方空気軸受面１２１ａと同じ高さとされている。センタレール部１２１の前方空気軸受面１２１ａと、センタパッド部１２５の第１後方空気軸受面１２５ａと、サイドパッド部１２６の第２後方空気軸受面１２６ａの高さは同じ高さとされている。前方段差面１２１ｂの両端には、前方空気軸受面１２１ａより高さが高い一対の吸着防止パッド１２９が形成されている。また、各側方段差面１２１ｃにも前方空気軸受面１２１ａより高さが高い吸着防止パッド１３０が形成されている。
また、サイドレール部１２２、１２３の間の媒体対向面１１１ａには、サイドレール部１２２、１２３より高さが高い吸着防止パッド１３１が複数対形成されている。
【０００７】
上記の構成の磁気ヘッド１０２は、図１１に示すように磁気記録媒体１００の回転に伴って空気流Ａが発生すると、この空気流Ａがリーディング側１１３からスライダ本体１１１の媒体対向面側に流入し、センタレール部１２１の前方空気軸受面１２１ａに作用し、その結果、前方空気軸受面１２１ａは正圧を受ける。さらに、空気流Ａは、サイドパッド部１２６、１２６の第２後方空気軸受面１２６ａ、１２６ａ、センタパッド部１２５の第１後方空気軸受面１２５ａに作用し、その結果、第１及び第２後方空気軸受面１２６ａ、１２６ａ、１２５ａでは、正圧を受けるので、これによって磁気記録媒体１００の表面または裏面から浮上走行し、浮上走行した状態において磁気コア１１２によって磁気記録媒体１００の磁気情報を読み出すか、磁気記録媒体１００に磁気情報を書き込むことができるように構成されている。なお、図１１中、符号Ｂは磁気記録媒体１００の回転方向である。
【０００８】
【発明が解決しようとする課題】
しかしながら従来の磁気ヘッド１０２にあっては、気圧が低下すると、図１１の二点鎖線で示したようにスライダ本体１１１の浮上量が下がり、これによって磁気コア１１２と磁気記録媒体１００の間のスペーシングＨも小さくなり、磁気コア１１２が磁気記録媒体１００に接触し、磁気コア１１２が劣化する恐れがあることが問題となっていた。特に、図９及び図１０に示す構造の磁気ヘッド１０２では、磁気コア１１２が埋め込まれたセンタパッド部１２５にかかる正圧力が最も高くなるような構造とされているために、気圧の変動に対してセンタバッド部１２５が最も影響を受け易かった。このような問題は、磁気ヘッド１０２を磁気記録媒体１００に対して接近させてから浮上走行姿勢に移行するロード時や、磁気ヘッド１０２を磁気記録媒体１００の外側に移行させるシーク時において磁気記録媒体１００の回転数の変動や、あるいは外部からの衝撃や負荷が作用した場合に起こり易い。
【０００９】
本発明は前記の事情に鑑みてなされたもので、磁気ヘッドのスライダ本体が磁気記録媒体に対して浮上走行する場合に、磁気コアと磁気記録媒体の間のスペーシングが気圧変化に対して受ける影響を小さくして、磁気コアが磁気記録媒体に接触するのを防止できる磁気ヘッドの提供を目的とする。
【００１０】
【課題を解決するための手段】
前記課題を解決するために本発明の磁気ヘッドは、回転駆動される磁気記録媒体に対し媒体対向面を向けて浮上走行するスライダ本体に磁気情報の記録または再生を行う磁気コアを備えてなる磁気ヘッドスライダであり、上記スライダ本体の媒体対向面にスライダ本体の浮上用のセンタパッド部とサイドパッド部とセンタレール部とサイドレール部が設けられ、上記スライダ本体において上記磁気記録媒体の回転方向上流側がリーディング側、回転方向下流側がトレーリング側とされ、
上記センタパッド部に上記磁気コアが備えられ、該センタパッド部は上記スライダ本体の媒体対向面のトレーリング側の端部中央部に形成され、上記センタパッド部よりリーディング側寄りの幅方向両端部にそれぞれ上記サイドパッド部が形成され、上記両サイドパッド部の媒体と対向する側の面の面積の合計値が上記センタバッド部の媒体と対向する側の面の面積より大きく、上記各サイドパッド部は、少なくともリーディング側に他の部分より高さが低い前方段差面が形成され、前記センタパッド部は、少なくともリーディング側の側面に段差が形成されておらず、
前記磁気コアの中央部に設けられた読取ヘッドのリーディング側の面と、前記一方のサイドパッド部のトレーリング側の面との距離をＬ２  としたときに、５０μｍ≦Ｌ２≦１００μｍなる関係を満足することによって、気圧が低下した場合に、前記サイドパッド部を支点として前記磁気コアが持ち上がった状態で浮上量が下がることを特徴とする。
かかる構成の磁気ヘッドによれば、磁気記録媒体の回転に伴って発生した空気流による正圧力が最も高くかかるところはサイドパット部付近になる構造とすることができるので、ロード時又はシーク時あるいは外部からの衝撃や負荷が作用して気圧が低下した場合、気圧の変動に対して最も影響を受ける部分はサイドパッド部となり、このサイドパッド部を支点として磁気コアが持ち上がった状態で浮上量が下がるため、磁気コアが備えられたセンタパッド部は気圧の変動に対して殆ど影響を受けなくなり、磁気コアと磁気記録媒体の間のスペーシングの気圧変化に対する影響を小さくすることができ、磁気コアが磁気記録媒体に接触するのを防止できる。
【００１１】
本発明の磁気ヘッドと従来の磁気ヘッドの作用の違いについて以下に述べる。
図９乃至図１０に示したような従来の磁気ヘッドでは、センタパッド部の方がサイドパッド部よりも大きく形成されており、しかもこのセンタパッド部はリーディング側に前方段差面が形成されているので、センタパッド部の媒体と対向する側の面（第１後方空気軸受面）は、サイドパッド部の媒体と対向する側の面（第２後方空気軸受面）よりも大きな正圧を受けることになる。
これに対して本発明の磁気ヘッドでは、上記両サイドパッド部の媒体と対向する側の面の面積の合計値が上記センタバッド部の媒体と対向する側の面の面積より大きくされていることで、センタバッド部の媒体と対向する側の面（第１後方空気軸受面）は空気流により受ける作用がサイドパッド部に比べて小さくなるので、このセンタパッド部の媒体と対向する側の面が受ける正圧力は小さくなり、一方、両サイドパッド部の媒体と対向する側の面はセンタパッド部に比べて空気流により受ける作用が大きくなり、しかもリーディング側に前方段差面があるので、空気流はこの前方段差面から媒体と対向する側の面（第２後方空気軸受面）にスムーズに流れるので、この媒体と対向する側の面に大きな正圧すなわち浮力が生じるからである。
【００１２】
本発明の磁気ヘッドにおいて、上記センタパッド部は、少なくともリーディング側の側面に段差が形成されていないことが好ましい。このようにすることでセンタパッド部のリーディング側の側面は、切り立った壁面のようになっているので空気流がこの切り立った壁面に沿って流れ、センタパッド部の媒体と対向する側の面（第１後方空気軸受面）が上記空気流により受ける作用は小さくなるので、このセンタパッド部の媒体と対向する側の面が受ける正圧力は小さい。
【００１３】
また、本発明の磁気ヘッドにおいて、上記両サイドパッド部のうち少なくとも一方のサイドパッド部の媒体と対向する側の面の面積が上記センタバッド部の媒体と対向する側の面の面積より大きくされていてもよい。
【００１４】
また、本発明の磁気ヘッドにおいて、上記磁気コアの中央部に設けられた読取ヘッドのリーディング側の面と、上記一方のサイドパッド部のトレーリング側の面との距離をＬ２  とすると、０μｍ＜Ｌ２≦１５０μｍなる関係が満足されていることが磁気コアと磁気記録媒体の間のスペーシングの気圧変化に対して受ける影響を小さくできる点で好ましく、さらに好ましくは、５０μｍ≦Ｌ２≦１００μｍなる関係が満足されていることが上記効果に加えて磁気コアと磁気記録媒体の間のスペーシングが磁気記録媒体の回転数の変化に対して受ける影響を小さくできる点で望ましい。
【００１５】
また、本発明の磁気記録装置は、先のいずれかの構成の本発明の磁気ヘッドと、回転駆動される磁気記録媒体と、上記磁気ヘッドを上記磁気記録媒体の径方向に移動させるための支持機構と、上記磁気記録媒体の外周部側方あるいは内周部側方に設けられた磁気ヘッドの退避部とを備えたことを特徴とする。
このように本発明の磁気ヘッドを備えた磁気記録装置であるならば、磁気ヘッドに備えられた磁気コアが磁気記録媒体に接触して損傷することを防止でき、また、外部からの衝撃や負荷が仮に作用したとしても、浮上走行中の磁気ヘッドで磁気記録媒体が損傷するのを防止できる。
【００１６】
【発明の実施の形態】
以下に本発明の実施形態について図面を参照して説明するが、本発明は以下の実施形態に限定されるものではない。
図１は本発明の磁気ヘッドをＣＳＳ（contact start stop）方式又はＬ／ＵＬ方式（ロード／アンロード方式）の磁気ヘッドに適用した実施形態を示す斜視図で、図２はこの磁気ヘッドを媒体対向面側から見た平面図であり、この実施形態の磁気ヘッドＨ１は、図４に示すＬ／ＵＬ方式（ロード／アンロード方式）の磁気記録装置に搭載されて使用されるものである。
【００１７】
図４に示す磁気記録装置Ｊは、磁性膜が塗布された円盤状の磁気ディスク（磁気記録媒体）１が複数枚（図面では２枚）、シャーシ２上に回転自在に設けられ、これら磁気ディスク１の表面側あるいは裏面側に磁気ディスク１に対して相対移動自在に磁気ヘッドＨ１が設けられ、これら複数の磁気ヘッドＨ１がフレキシャと称される図示略の取付基板を介して個々に細長い三角板状のロードビーム３とアーム４を介してベース５に支持され、このベース５がシャーシ２の上において回動自在に支持されて構成されている。
シャーシ２の上面側には２枚の磁気ディスク１が上下に所定の間隔をあけた状態で積み重ねられ、磁気ディスク１の中心を通過する回転軸を中心としてその軸回りに回転自在に支持されている。なお、磁気ディスク１の中心部の回転軸の下部側には図示略の扁平型のスピンドルモータが設けられていて、このスピンドルモータにより磁気ディスク１が回転駆動されるようになっている。
【００１８】
なお、実際には図４に示す磁気記録装置Ｊの上面側に図示略の蓋部材を密着させて設けることでシャーシ２を閉構造（フィルタを介して空気の出入りはある構造）として実際の使用に供されるが、図４はこの蓋部材を省略して磁気記録装置Ｊの内部構造のみを示している。また、磁気ディスク１の表面および裏面には磁性層が設けられ、この磁性層において円周方向に微細幅のトラックが多数形成され、磁気ヘッドＨ１は磁気ディスク１の半径方向に移動して目的のトラック間を移動自在に構成されている。
即ち、図４に示す構造においてベース５が回動することで磁気ヘッドＨ１が磁気ディスク１に対してその半径方向に相対移動し、磁気ディスク１上の所望の位置の磁気情報を読み出すか、磁気ディスク１上の所望の位置に磁気情報を書き込むことができるように構成されている。
【００１９】
なお、図４に示すベース５の支持構造において磁気ディスク１の回転軸と平行に配置された回転軸６を中心としてベース５が回動するとともに磁気ヘッドＨ１が磁気ディスク１上（あるいは下）をその半径方向の所定の位置に移動することで磁気ヘッドＨ１の移動が実現される。更に、図４に示すベース５の駆動構造はボイスコイル８と磁石９を組み合わせたボイスコイルモータ構造とされて磁気ヘッドＨ１の微細な位置移動が可能とされている。
また、アーム４の回動により磁気ヘッドＨ１が磁気ディスク１の最外周部に至る部分の側方に退避部７が設けられている。この退避部７は各磁気ディスク１の上面側あるいは下面側に臨ませられる支持板７ａを有し、磁気ディスク１が回転を停止する際にこれらの支持板７ａの磁気記録媒体側に形成された斜面に沿って磁気ヘッドＨ１が支持板７ａ上に退避されるようになっている。
【００２０】
ここで本実施形態の磁気ヘッドＨ１の構成について詳述すると、図１は磁気ヘッドＨ１の底面側（媒体対向面側）を上側に向けた状態を示す図であり、この磁気ヘッドＨ１は、Ａｌ2Ｏ3−ＴｉＣなどといった硬質の非磁性体のセラミック材料から構成された板状のスライダ本体１１と、このスライダ本体１１の一端部側に設けられたコイル部を有する磁気コア１２を主体として構成されている。
磁気ヘッドＨ１のスライダ本体１１において、上記コイル部が設けられる一端部側と反対側の端部側が磁気ディスク１の回転方向上流側のリーディング側１３とされ、上記コイル部が設けられる一端部側が磁気ディスク１の回転方向下流側のトレーリング側１５とされている。
磁気コア１２には、トレーリング側に順に積層されたＭＲヘッド（読出ヘッド）と、インダクティブヘッド（書込ヘッド）が備えられている。
【００２１】
また、スライダ本体１１のトレーリング側１５の端部中央部（トレーリング側の幅方向中央部）には、略三角柱状のセンタパッド部２５が形成されている。このセンタパッド部２５のリーディング側の側面（壁面）２５ｃには、段差が形成されておらず、このセンタパッド２５の媒体と対向する側の面が第１後方空気軸受面２５ａとされており、この第１後方空気軸受面２５ａに上記の磁気コア１２が埋め込まれている。
このセンタパッド部２５よりリーディング側寄りの幅方向両端部に多角柱状のサイドパッド部２６が個々に形成されている。また、各サイドパッド２６は第２後方空気軸受面２６ａと、これのリーディング側に設けられた前方段差面２６ｂを有している。この前方段差面２６ｂは第２後方空気軸受面２６ａよりも高さが低く形成されている。第２後方空気軸受面２６ａと第１後方空気軸受面２５ａは同じ高さとされている。
【００２２】
サイドパッド部２６、２６の媒体と対向する側の面の面積の合計値（両第２後方空気軸受面２６ａの面積の合計値）がセンタバッド部２５の第１後方空気軸受面２５ａの面積より大きくされている。
また、特に本実施形態では、各サイドパッド部２６の媒体と対向する側の面の面積（第２後方空気軸受面２６ａの面積）がセンタバッド部２５の第１後方空気軸受面２５ａ面の面積より大きくされている。
【００２３】
また、本実施形態の磁気ヘッドＨ１では、図２に示すように磁気コア１２の中央部に設けられた上記読出ヘッドのリーデング側の面と、一方のサイドパッド部２６のトレーリング側の面との距離をＬ２ としたとき、０μｍ＜Ｌ２≦１５０μｍなる関係が満足されるようにセンタパッド部２５、サイドパッド部２６が形成されていることが好ましい。上記の距離Ｌ２が上記の範囲外であると、気圧が低下した場合に磁気コアと磁気ディスクの間のスペーシングＨが小さくなり過ぎて、磁気コアが磁気ディスクに接触し、ダメージを受ける恐れがある。
また、上記距離Ｌ２は、５０μｍ≦Ｌ２≦１００μｍなる関係が満足されていることがさらに好ましい。上記の距離Ｌ２が上記の範囲内であると、磁気コア１２と磁気ディスク１の間のスペーシングＨの気圧変化に対して受ける影響をさらに小さくできるうえ、磁気コア１２と磁気ディスク１の間のスペーシングＨが磁気ディスクの回転数の変化に対して受ける影響を小さくでき、磁気コア１２の劣化防止効果をさらに向上できる。
【００２４】
また、スライダ本体１１のリーディング側１３の端部に幅Ｗ1方向に向かって延びるセンタレール部２１が形成され、さらにこのスライダ本体１１にはセンタレール部２１の両端部からトレーリング側１５に向かって延びるサイドレール部２２、２３が形成されている。
センタレール部２１は前方空気軸受面２１ａと、前方段差面２１ｂと、この前方段差面２１ｂの両端部からトレーリング側１５に向かって延びる側方段差面２１ｃを有している。前方段差面２１ｂは前方空気軸受面２１ａよりも高さが低く形成されており、前方段差面２１ｂと側方段差面２１ｃは同じ高さとされている。
【００２５】
サイドレール部２２、２３の高さはセンタレール部２１の前方空気軸受面２１ａと同じ高さとされており、即ち、サイドレール部２２、２３と前方空気軸受面２１ａとは面一とされている。また、これらセンタレール部２１の前方空気軸受面２１ａと、サイドレール部２２、２３と、センタパッド部２５の第１後方空気軸受面２５ａと、各サイドパッド部２６の第２後方空気軸受面２６ａの高さは同じ高さとされている。
【００２６】
前方段差面２１ｂの幅Ｗ1方向両端には、前方空気軸受面２１ａより高さが高い一対の吸着防止パッド２９が形成されている。この吸着防止パッド２９は、スライダ本体１１がディスク面に着座する際に前方段差面２１ｂとディスク面との接触を回避させために設けられている。
また、前方空気軸受面２１ａの幅Ｗ1方向両端には、前方空気軸受面２１ａより高さが高い一対の吸着防止パッド３０が形成されている。この吸着防止パッド３０は、スライダ本体１１がディスク面に着座する際に前方空気軸受面２１ａとディスク面との接触を回避させために設けられている。
また、サイドレール部２２、２３の間の媒体対向面１１ａには、サイドレール部２２、２３より高さが高い吸着防止パッド３１が複数対（図面では２対）形成されている。吸着防止パッド３１は、スライダ本体１１がディスク面に着座する際にサイドレール部２２、２３や第２後方空気軸受面２６ａや第１後方空気軸受面２５ａがディスク面と接触するのを回避させために設けられている。
【００２７】
上記の構成の磁気ヘッドＨ１は、図３に示すように磁気記録媒体１００の回転に伴って空気流Ａが発生すると、この空気流Ａがリーディング側１３からスライダ本体１１の媒体対向面側に流入し、さらにこの空気流Ａはセンタレール部２１の前方段差面２１ｂから前壁面（側面）２１ｄを伝って前方空気軸受面２１ａに作用し、その結果、前方空気軸受面２１ａは正圧を受け、浮力が発生する。また、サイドレール部２２、２３が形成されているので、センタレール部２１を幅方向両側から迂回する空気流がセンタレール部２１の裏側に侵入することが防止され、前方空気軸受面２１ａに沿って流れる空気流Ａがセンタレール部２１を通過すると同時に磁気ディスク面鉛直方向に広がり、その結果、負圧が生成される。この負圧が浮力にバランスすることによってスライダ本体の浮上量は規定される。
【００２８】
さらに空気流Ａは、サイドパッド部２６、２６の前方段差面２６ｂ、２６ｂ
から前壁面（側面）２６ｃを伝って第２後方空気軸受面２６ａ、２６ａに作用し、また、空気流Ａはセンタパッド部２５の第１後方空気軸受面２５ａに作用するが、上記のようにサイドパッド部２６、２６の媒体と対向する側の面（第２後方空気軸受面２６ａ、２６ａ）の面積の合計値がセンタバッド部２５の第１後方空気軸受面２５ａの面積より大きくされていることで、センタバッド部２５の第１後方空気軸受面２５ａは空気流Ａにより受ける作用はサイドパッド部２６に比べて小さくなるので、このセンタパッド部２５の第１後方空気軸受面２５ａが受ける正圧は小さくなる。
一方、サイドパッド部２６、２６の第２後方空気軸受面２６ａ、２６ａはセンタパッド部２５に比べて空気流Ａにより受ける作用が大きくなり、しかも各サイドパッド部２６にはリーディング側に前方段差面２６ｂがあるので、空気流Ａはこの前方段差面２６ｂ、２６ｂから第２後方空気軸受面２６ａ、２６ａにスムーズに流れるので、第２後方空気軸受面２６ａ、２６ａは最も大きな正圧を受け、すなわち大きな浮力が生じる。ここで第２後方空気軸受面２６ａ、２６ａが受ける正圧は、前方空気軸受面２１ａが受ける正圧より大きい。
【００２９】
また、センタパッド部２５には、リーディング側の側面２５ｃに段差が形成されていないので、センタパッド部２５のリーディング側の側面２５ｃは、切り立った壁面のようになっているので空気流がこの切り立った壁面に沿って流れ、センタパッド部２５の第１後方空気軸受面２５ａが空気流により受ける作用は小さくなるので、この第１後方空気軸受面２５ａが受ける正圧力は小さい。
これによって磁気ディスク１の表面または裏面から浮上走行し、浮上走行した状態において磁気コア１２によって磁気ディスク１の磁気情報を読み出すか、磁気ディスク１に磁気情報を書き込むことができる。
【００３０】
本実施形態の磁気ヘッドＨ１によれば、磁気ディスク１の回転に伴って発生した空気流Ａによる正圧力が最も高くかかるところはサイドパット部２６、２６付近になる構造とすることができるので、ロード時又はシーク時あるいは外部からの衝撃や負荷が作用して気圧が低下した場合、気圧の変動に対して最も影響を受ける部分はサイドパッド部２６、２６となり、図３に示したようにこのサイドパッド部２６、２６を支点として磁気コアが持ち上がった状態で浮上量が下がるため、磁気コア１２が備えられたセンタパッド部２５は気圧の変動に対して殆ど影響を受けなくなり、磁気コア１２と磁気ディスクの間のスペーシングＨの気圧変化に対する影響を小さくすることができ、磁気コア１２が磁気ディスク１に接触するのを防止できる。
また、本実施形態の磁気ヘッドＨ１を備えた磁気記録装置Ｊは、磁気ヘッドＨ１に備えられた磁気コア１２が磁気ディスク１に接触して損傷することを防止でき、また、外部からの衝撃や負荷が仮に作用したとしても、浮上走行中の磁気ヘッドＨ１で磁気ディスク１が損傷するのを防止できる。
【００３１】
なお、本実施形態では、センタパッド部２５はリーディング側の側面に段差が形成されていない場合について説明したが、段差が形成されていてもよく、その場合の段差面の高さは、サイドパッド部２６の前方段差面２６ｂの高さより高いことが好ましい。
【００３２】
【実施例】
以下、本発明の実施例について説明する。
（実施例）
サイドパッド部２６の位置を変更した図１及び図２の磁気ヘッドＨ１を図４の磁気記録装置に取り付け、気圧を変更したときの磁気コアと磁気ディスクの間のスペーシングＨの変化量について調べた。その結果を図５に示す。ここではスライダ本体１１として、Ａｌ２Ｏ３−ＴｉＣから構成されたものを用いた。このスライダ本体１１の長さＬ１は、１．２４１ｍｍ、幅Ｗ１は１ｍｍ、厚さ０．３ｍｍであった。サイドパッド部２６の位置は、センタパッド部２５に備えられた磁気コア１２の中央部（上記読出ヘッドのリーデング側の面）のトレーリング側１５からの距離Ｌ３を３８μｍと一定とし、この磁気コア１２の中央部に設けられた上記読出ヘッドのリーデング側の面と、一方のサイドパッド部２６のトレーリング側の面との距離Ｌ２を−３８μｍから２００μｍの範囲で変更した。また、ここでの気圧の変更は、高度が０Ｋフィート（０ｍ）のときにかかる気圧から１０Ｋフィート（３０４８ｍ）のときにかかる気圧に変更した。図５中、点線（１）は、高度が０Ｋフィート（０ｍ）のときにかかる気圧のときのスペーシングＨであり、このときスペーシング量を基準値の０ｎｍとした。
【００３３】
また、サイドパッド部２６の位置を変更した図１及び図２の磁気ヘッドＨ１を図４の磁気記録装置に取り付け、磁気ディスクの回転数を７２００ｒｐｍから５４００ｒｐｍに変更したときの磁気コアと磁気ディスクの間のスペーシングＨの変化量について調べた。その結果を図７に示す。図７中、点線▲３▼は、磁気ディスクの回転数が７２００ｒｐｍのときのスペーシングＨであり、このときスペーシング量を基準値の０ｎｍとした。
なお、図５と図７中、◆は、磁気ヘッドＨ１を磁気ディスク１の最内周上に浮上させたときの値を示しており、■は、磁気ヘッドＨ１を磁気ディスク１の最外周上に浮上させたときの値を示している。
【００３４】
（比較例）
サイドパッド部１２６の位置を変更した図９及び図１０の従来の磁気ヘッド（比較例）１０２を図４の磁気記録装置に取り付け、気圧を変更したときの磁気コアと磁気ディスクの間のスペーシングＨの変化量について上記実施例１と同様にして調べた。その結果を図６に示す。ここではスライダ本体１１１として、Ａｌ２Ｏ３−ＴｉＣから構成されたものを用いた。このスライダ本体１１１の長さＬ１は、１．２４１ｍｍ、幅Ｗ１は１ｍｍ、厚さ０．３ｍｍであった。サイドパッド部１２６の位置は、センタパッド部１２５に備えられた磁気コア１１２の中央部（上記読出ヘッドのリーデング側の面）のトレーリング側１１５からの距離Ｌ３を３８μｍと一定とし、この磁気コア１１２の中央部に設けられた上記読出ヘッドのリーデング側の面と、一方のサイドパッド部２６のトレーリング側の面との距離Ｌ２を−０μｍから２００μｍの範囲で変更した。図６中、点線（２）は、高度が０Ｋフィート（０ｍ）のときにかかる気圧のときのスペーシングＨであり、このときスペーシング量を基準値の０ｎｍとした。
【００３５】
また、サイドパッド部１２６の位置を変更した図９及び図１０の磁気ヘッド１０２を図４の磁気記録装置に取り付け、磁気ディスクの回転数を７２００ｒｐｍから５４００ｒｐｍに変更したときの磁気コアと磁気ディスクの間のスペーシングＨの変化量について調べた。その結果を図８に示す。図８中、点線▲４▼は、磁気ディスクの回転数が７２００ｒｐｍのときのスペーシングＨであり、このときスペーシング量を基準値の０ｎｍとした。
なお、図６と図８中、◆は、磁気ヘッドＨ１を磁気ディスク１の最内周上に浮上させたときの値を示しており、■は、磁気ヘッドＨ１を磁気ディスク１の最外周上に浮上させたときの値を示している。
【００３６】
図５と図６に示した結果からセンタバッド部の大きさをサイドパッド部より大きい比較例の磁気ヘッドでは、気圧の低下によりスペーシングＨは４ｎｍから５ｎｍ低下しており、この傾向はサイドパッド部１２６の位置Ｌ2を変更しても同様の傾向が得られ、また、上記傾向は磁気ヘッド１０２を浮上させる位置を変更しても同様の傾向が得られている。
これに対してセンタバッド部の大きさをサイドパッド部の大きさより小さくした実施例の磁気ヘッドでは、サイドパッド部２６の距離Ｌ2が０μｍより大きく、１５０μｍ以下の範囲であれば、気圧の低下によるスペーシングＨの低下量は比較例のものより小さいことがわかる。
【００３７】
図７と図８に示した結果からセンタバッド部の大きさをサイドパッド部より大きくした比較例の磁気ヘッドでは、磁気ディスクの回転数が低下してもスペーシングＨは１ｎｍ程度下がる程度であり、この傾向はサイドパッド部１２６の位置Ｌ2を変更しても同様の傾向が得られ、また、上記傾向は磁気ヘッド１０２を浮上させる位置を変更しても同様の傾向が得られている。
これに対してセンタバッド部の大きさをサイドパッド部の大きさより小さくした実施例の磁気ヘッドでは、サイドパッド部２６の距離Ｌ2が５０μｍ以上、１５０μｍ以下の範囲であれば、磁気ディスクの回転数の低下によるスペーシングＨの低下量は１ｎｍ程度以下にできることがわかる。従って、実施例の磁気ヘッドにおいては、５０μｍ≦Ｌ2≦１００μｍなる関係を満足させることで、磁気コアと磁気記録媒体の間のスペーシングが気圧変化に対して受ける影響を小さくでき、しかも磁気コアと磁気記録媒体の間のスペーシングが磁気記録媒体の回転数の変化に対して受ける影響を小さくできることがわかる。
【００３８】
【発明の効果】
以上説明したように本発明の磁気ヘッドによれば、スライダ本体が磁気記録媒体に対して浮上走行する場合に、磁気コアと磁気記録媒体の間のスペーシングが気圧変化に対して受ける影響を小さくして、磁気コアが磁気記録媒体に接触するのを防止できる。
【図面の簡単な説明】
【図１】  図１は本発明の実施形態の磁気ヘッドの媒体対向面側を上側に向けた状態を示す斜視図。
【図２】  図２は図１に示す磁気ヘッドを媒体対向面側から見たときの平面図。
【図３】  図３は図１の磁気ヘッドをロードさせたときの状態と、気圧低下時の状態を示す側面模式図。
【図４】  図４は本発明に係る磁気ヘッドを搭載した磁気記録装置の一例を示す斜視図。
【図５】  気圧を低下させたときの実施例の磁気ヘッドのサイドパッド部の位置と、磁気コアと磁気ディスクの間のスペーシングの変化量の関係を示す図。
【図６】  気圧を低下させたときの比較例の磁気ヘッドのサイドパッド部の位置と、磁気コアと磁気ディスクの間のスペーシングの変化量の関係を示す図。
【図７】  磁気ディスクの回転数を小さくしたときの実施例の磁気ヘッドのサイドパッド部の位置と、磁気コアと磁気ディスクの間のスペーシングの変化量の関係を示す図。
【図８】  磁気ディスクの回転数を小さくしたときの比較例の磁気ヘッドのサイドパッド部の位置と、磁気コアと磁気ディスクの間のスペーシングの変化量の関係を示す図。
【図９】  図９は磁気記録装置に搭載された従来の磁気ヘッドを示す斜視図。
【図１０】  図１０は図９の磁気ヘッドを媒体対向面側から見たときの平面図。
【図１１】  図１１は図９の磁気ヘッドをロードさせたときの状態と、気圧低下時の状態を示す側面模式図。
【符号の説明】
１…磁気記録媒体（磁気ディスク）、１１…スライダ本体、１１ａ…媒体対向面、１２…磁気コア、１３…リーディング側、１５…トレーリング側、２１…センターレール部、２１ａ…前方空気軸受面、２１ｂ…前方段差面、２１ｄ…前壁面（側面）、２２、２３…サイドレール部、２５…センタパッド部、２５ａ…第１後方空気軸受面、２６…サイドパッド部、２６ａ…第２後方空気軸受面、２６ｂ…前方段差面、２６ｃ…前壁面（側面）、Ｈ…スペーシング（磁気コアと磁気記録媒体との間の距離）、Ｈ１…磁気ヘッド、Ｊ…磁気記録装置、Ｌ2 …センタパッド部に備えられた磁気コアと、サイドパッド部の距離。
【図１】
0004020689.tif 000002
【図２】
0004020689.tif 000003
【図３】
0004020689.tif 000004
【図４】
0004020689.tif 000005
【図５】
0004020689.tif 000006
【図６】
0004020689.tif 000007
【図７】
0004020689.tif 000008
【図８】
0004020689.tif 000009
【図９】
0004020689.tif 000010
【図１０】
0004020689.tif 000011
【図１１】
0004020689.tif 000012